(57)【特許請求の範囲】
【請求項１】
連続帳票を折り畳んで積み上げてなる連続帳票を複数配置し、前後の連続帳票群の後端側と先端側とが連続され、当該前後の連続帳票群が用紙引き出しガイドで掛け合わされて供給対象の連続帳票群より適宜な処理装置に供給する連続帳票の供給装置であって、前記用紙引き出しガイド上で、供給中の連続帳票群の後端側に連続する待機中の連続帳票群先端部が滑り落ちるのを押えて抑止する押圧部材を突出させ、押え状態の解除時に当該押圧部材を引き込ませる押え手段と、前段の供給中の連続帳票の供給状態を検出する検出手段とを設け、この検出手段が供給中の連続帳票が供給済になったことを検出したときにこの検出信号を受けて、前記押え手段による後段の連続帳票の押え状態を解除する制御手段を設けてなる連続帳票の供給装置。
【発明の詳細な説明】
【０００１】
【産業上の利用分野】
本発明は、折り畳み状態の連続帳票を積み上げてなる連続帳票群を複数配置し、前後の連続帳票群の後端側と先端側とが連続していて適宜な処理装置に供給する連続帳票の供給装置に関する。
【０００２】
【従来の技術】
近年、連続帳票に対する処理速度の高速化が進み、例えばノンインパクトプリンタによるプリント作業は、一分間に１万ライン以上の高速プリントが可能となっており、処理作業の短縮化が一段と進んできている。しかし、処理時間の短縮化を生かすためには、連続帳票の長さが従来以上に十分に長くなければならず、これが短い場合には、連続帳票を所定位置に頻繁に再セットしなければならないので、作業効率が悪くなってしまう。具体的には、デプスが１１インチの連続帳票を２０ｃｍの高さに積み重ねた場合の印刷処理時間は１２、３分間位であるが、これを再セットするために必要な時間は２、３分かかり、印刷作業時間全体に占める再セット時間は２０％程度にもなる。
【０００３】
連続帳票の一連続単位を長くすることは可能であるが、この長くした連続帳票を折り畳んで高く積み重ねたものを、所定位置に、折れ曲がりが生じない所望の状態で設置することは困難であり、これを可能にする連続帳票設置部材の開発が要望されていた。従来、この要望に応えるものとして既に、実開昭６１−７４５６１号公報に記載された長尺帳票収納箱が提案されている。
【０００４】
【発明が解決しようとする課題】
ところが、この実開昭６１−７４５６１号公報に記載された長尺帳票収納箱等で連続帳票を供給する際、所定以上に高く積み重ねた連続帳票群（前記公報にいう１梱包単位）の隣接するものの後端と先端とを接続して、複数の連続帳票群を連続的に処理装置に供給することは供給中の連続帳票群の後端側に連続する待機中の連続帳票の上部先端部が滑り落ちてしまう欠点がある。本発明は、この欠点を解消することを目的とする。
【０００５】
【課題を解決するための手段】
上述した目的を達成するために本発明の連続帳票の供給装置は、供給中の連続帳票群の後端側に連続する待機中の連続帳票群の先端部が滑り落ちるのを押え手段で押えて抑止するとともに、前段の連続帳票の供給状態を検出する検出手段によって、前記待機中の連続帳票群の供給が開始されるときには、前記押え手段の押え状態を解除する制御手段を設けて供給動作を続行するものである。
【０００６】
【作用】
前後の連続帳票群の後端側と先端側とが連続しているので連続的に全部の連続帳票群を適宜な処理装置に供給することができ、またこの際、供給中の連続帳票群の後端側に接続された待機中の連続帳票群先端部が滑り落ちるのを押え手段で押えて抑止するので、待機中の連続帳票が滑り落ちることがなく、前記待機中の連続帳票の供給が開始されるときには、前記押え手段の押え動作が解除されて連続的な供給動作を可能とする。
【０００７】
【実施例】
以下、本発明の好適な実施例を添付図面に基づき詳細に説明する。ここにおいて、図１は、連続帳票の供給装置の斜視説明図、図２は、連続帳票の供給装置の側面断面説明図、図３は、連続帳票の供給装置の制御系統を示すブロック図である。
【０００８】
図１に示すように連続帳票の供給装置１は、プリンタ側へ供給する方向に３連積み重ねられた状態で、連続帳票を配置可能となるように各連続帳票を上部より引き出すための自由回転するロールからなる用紙引き出しガイド５、６、７が設けられている。また、この用紙引き出しガイド５、６の下部で連続用紙が引き出されている間には、光が遮られて用紙が各用紙引き出しガイド５、６下で供給中であることを検出する投受光型の対のセンサー８ａ，８ｂと９ａ、９ｂが設けられている。さらに、連続用紙の供給方向の先端側には用紙送りローラ２、３、４が設けられ、プリンタへ用紙が供給されるようになっている。
【０００９】
連続帳票は、図２に示すように下部に移動用のキャスター２４が設けられ、プリンタ側へ供給される方向に３つの収納部２６、２７、２８に連続帳票群２１、２２、２３が積み重ねられて収納された帳票収納箱２０によって、連続帳票の供給装置１にセットされる。各連続帳票群は、前方の下部終端側と後方の連続帳票群の上部先端が連接された状態でセットされるが、後方の連続帳票群が前方の連続帳票群に引き続いて連続供給されるときに上部の各用紙引き出しガイド６、７から引き上げられるようにあらかじめ図示の如く用紙をこれら用紙引き出しガイド６、７に掛け渡して用紙をセットしておく。
【００１０】
用紙引き出しガイド６、７の上部には、連続帳票群２２、２３を各用紙引き出しガイド６、７に掛け渡した帳票を押える用紙押え手段１０、１１が設けられている。この用紙押え手段１０、１１は、連続帳票の供給を開始する際、待機中の連続帳票群２２、２３の連続帳票群の先端側から前方下方へ連続帳票が滑り落ちるのを防止するウレタン材の押し圧部材１２、１３が用紙引き出しガイド６、７に突出する駆動部を有して帳票を挟むように構成されている。
【００１１】
また、連続帳票の供給装置の制御系統を示すブロック図となる図３によって、用紙押え手段１０、１１の制御状態を説明すると、あらかじめ図２に示すように前方の連続帳票群２１を引き出し、用紙引き出しガイド５に掛け渡すとともに後方の連続帳票群２２、２３も同様にそれぞれ用紙引き出しガイド６、７に連続帳票  を掛け渡した状態でオペレートキーより電源を入れ用紙押え手段１０、１１のセットスイッチを押すと、制御手段となる制御部３０が押圧部材１２、１３を引き出しガイド６、７に向かって突出するよう駆動信号を出力する。この状態で連続帳票の供給装置における帳票セットは終了し、帳票供給のレディ状態となる。この状態で連続帳票の供給が開始され、センサー８ａ、８ｂの光を遮っている間は、収納部２６の連続帳票群２１の帳票供給中と判定される。そして、連続帳票群２１のすべての帳票の供給が終了すると破線Ｐで示すように帳票移送経路が変化し、帳票がセンサー８ａ、８ｂ間で光が通過し検出手段８が連続帳票群２１の帳票供給終了信号を出力し、ただちに制御部３０が押圧部材１２を引き込ませて用紙押え手段１０の連続帳票の押え状態を解除する。センサー９ａ、９ｂおよび用紙押え手段１１についても同様の制御が行われる。
【００１２】
なを、本発明は、上述した実施例に限定されるものではなく、例えば連続帳票の供給状態を検出する検出手段におけるセンサーは、帳票収納箱の帳票収納部の下部に光の透過孔を設け、収納部の底に帳票が無くなったことを検出するようなものであってもよく、また、検出手段の検出方法は、直接検出する以外に収納箱自体に用紙検出センサーを設け、このセンサーによって帳票が無くなったことを出力した検出信号を受けて、間接的に帳票の供給状態を検出するものであってもよい。さらにまた、用紙送りローラ２、３、４および用紙引き出しガイド５、６、７は、用紙の供給状態に合わせて回転駆動力を有するものであってもよい。
【００１３】
【発明の効果】
前後の連続帳票群の後端側と先端側とが連続しているので連続的に全部の連続帳票群を適宜な処理装置に供給することができ、またこの際、供給中の連続帳票群の後端側に接続された待機中の連続帳票群先端部を押え手段で押えて抑止するので、待機中の連続帳票が滑り落ちることがなく、前段の連続帳票群の供給状態を検出し、前記待機中の連続帳票の供給が開始されるときには、前記押え手段の押え動作が解除されて連続的な供給動作を確実に保証するという効果を奏する。
【図面の簡単な説明】
【図１】連続帳票の供給装置の斜視説明図。
【図２】連続帳票の供給装置の側面断面説明図。
【図３】連続帳票の供給装置の制御系統を示すブロック図。
【符号の説明】
１    連続帳票の供給装置
５、６、７    用紙引き出しガイド
８、９    検出手段
８ａ、８ｂ、９ａ、９ｂ    センサー
１０、１１    用紙押え手段
３０    制御手段
【図１】
0003608573.tif 000002
【図２】
0003608573.tif 000003
【図３】
0003608573.tif 000004